(57)【要約】      （修正有）【課題】極めて多岐にわたる用途に活用できる多用途身体着用具セットを提供する。【解決手段】多用途身体着用具セット１は、外装具１１と、掛け止め具付きベルト３１と、身体着用内装具４１とを有する。外装具は、起毛素材とナイロンタフタ素材とを重合した長方形状の第一の外装片と、防水シート素材１５とナイロンタフタ素材とを重合し、周辺部を縫合した長方形状の第二の外装片１６とを袋状形態の長方形シート状としたものであり、線ファスナ１９、ハトメ２０を有する。身体着用内装具は、起毛素材とナイロンタフタ素材とを重合して長方形シート状に形成され、両長辺に逆開線ファスナ４６を取り付けるとともに、長辺方向中央部に短辺方向に沿った中央部線ファスナ４８を取り付ける。【選択図】図１
0003181834.tif 000002
【実用新案登録請求の範囲】
【請求項１】
四角形状に形成した保温素材と四角形状に形成した補強シート素材とを重合し、周辺部を縫合して形成した四角形状の第一の外装片と、四角形状に形成した防水シート素材と四角形状に形成した補強シート素材とを重合し、周辺部を縫合して形成した四角形状の第二の外装片とを、前記保温素材、前記防水シート素材が外面となる配置で重合し、一方の辺、及びこの辺を挟む二つの辺の外縁部を連続縫製して、残る他方の辺側が開口した折り畳み展開可能な袋状形態の四角形シート状とするとともに、前記二つの辺における縫製した一方の辺側の隅部から、他方の辺まで一定の寸法を残す位置にわたって前記二つの辺を折り畳み状態で各々連結する線ファスナを取り付け、袋状形態とした前記第一の外装片、第二の外装片における一方の辺側の両隅部、及び前記各線ファスナの他方における辺側の終端位置の近傍位置に各々穴開き受具を配設した外装具と、
ベルト材の両端に各々前記穴開き受具に掛け止める掛け止め具を取り付けた掛け止め具付きベルトと、
四角形状に形成した保温素材と四角形状に形成した補強シート素材とを重合し、周辺部を縫合して折り畳み展開可能な四角形シート状に形成されて、平行な両辺に両隅部を除いてこの両辺を連結解放する逆開線ファスナを取り付けるとともに、前記平行な両辺方向中央部に直交する辺方向に沿った中央部線ファスナを取り付けることにより構成した身体着用内装具と、
を有することを特徴とする多用途身体着用具セット。
【請求項２】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有することを特徴とする多用途身体着用具セット。
【請求項３】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記外装具を展開状態とし、前記防水シート素材の面を下面として、この外装具をシートとして機能させること、
を特徴とする多用途身体着用具セット。
【請求項４】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記外装具における二つの長辺を、長辺方向に並ぶ二つのハトメ同士が各々重なり合うように折り込み、前記二つの長辺に取り付けた線ファスナにより折り込んだ二つの長辺を閉塞することで、この外装具を、他方の短辺側に開口が形成され、かつ、他方の短辺側を折り畳み可能な蓋片部とした収納具形態として機能させること、
を特徴とする多用途身体着用具セット。
【請求項５】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記外装具における二つの長辺を、長辺方向に並ぶ二つのハトメ同士が各々重なり合うように折り込み、前記二つの長辺に取り付けた線ファスナにより折り込んだ二つの長辺を閉塞することで、この外装具を、他方の短辺側に開口が形成され、かつ、他方の短辺側を折り畳み可能な蓋片部とした収納具形態とし、前記防水シート素材が外面に、前記起毛素材が内面になるようにして、この外装具を、前記開口内に足部を挿入して保温する足温手段として機能させること、
を特徴とする多用途身体着用具セット。
【請求項６】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記外装具における二つの長辺を、長辺方向に並ぶ二つのハトメ同士が各々重なり合うように折り込み、折り込んだ二つの長辺を各々線ファスナにより閉塞することで、この外装具を、他方の短辺側に開口が形成され、かつ、他方の短辺側を折り畳み可能な蓋片部とした収納具形態とし、前記身体着用内装具を折り畳んで内部に収納し蓋片部を閉じることによって、枕又はクッションとして機能させること、
を特徴とする多用途身体着用具セット。
【請求項７】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記外装具における二つの長辺を、長辺方向に並ぶ二つのハトメ同士が２箇所にわたって各々重なり合うように折り込み、折り込んだ二つの長辺を各々線ファスナにより閉塞するとともに、２箇所にわたって重なり合うハトメの位置に前記掛け止め具付きベルトの両端の掛け止め具を掛け止めることで、この外装具を、他方の短辺側に開口が形成され、かつ、他方の短辺側に折り畳み可能な蓋片部を備え、肩掛け又は吊り下げ可能なバッグ形態として機能させること、
を特徴とする多用途身体着用具セット。
【請求項８】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記身体着用内装具を展開状態とし、前記起毛素材を内面とするとともに、前記中央部線ファスナを開いて長辺方向中央部を開口し使用者の頭部が突出する状態に被ることで、この身体着用内装具をケープとして機能させること、
を特徴とする多用途身体着用具セット。
【請求項９】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記身体着用内装具を展開状態とし、前記起毛素材を内面とするとともに、前記中央部線ファスナを閉じて身体の肩に掛けることで、この身体着用内装具をブランケットとして機能させること、
を特徴とする多用途身体着用具セット。
【請求項１０】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記身体着用内装具を展開状態とし、前記起毛素材を内面とするとともに、前記中央部線ファスナを開いて長辺方向中央部を開口し身体の腰回りに穿くことで、この身体着用内装具をスカートとして機能させること、
を特徴とする多用途身体着用具セット。
【請求項１１】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記身体着用内装具を、前記起毛素材を内面とするとともに、両長辺が重なるように折り畳み、前記逆開線ファスナにより前記両長辺を連結することで、この身体着用内装具をシュラフとして機能させること、
を特徴とする多用途身体着用具セット。
【請求項１２】
長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方における短辺側の終端位置の近傍位置に各々ハトメを配設した外装具と、
ベルト材の両端に各々前記ハトメに掛け止める掛け止め具を取り付けた掛け止め具付きベルトと、
長方形状に形成した起毛素材と長方形状に形成したナイロンタフタ素材とを重合し、周辺部を縫合して折り畳み展開可能な長方形シート状に形成されて、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、
を有し、
前記身体着用内装具の起毛素材を内面とするとともに、前記逆開線ファスナにより身体着用内装具の両長辺の一部を連結状態とし肩回りを折り返した状態で使用者が着ることで、この身体着用内装具をジレ（ベスト）として機能させること、
を特徴とする多用途身体着用具セット。
【考案の詳細な説明】
【技術分野】
【０００１】
本考案は、多用途身体着用具セットに関し、詳しくは、日常の家屋内やアウトドア等の各種場面において、極めて多岐にわたる用途に活用できる多用途身体着用具セットに関するものである。
【背景技術】
【０００２】
近年、保温性、クッション性を有する布材を用い、主に敷物類、寝具類又はこれらに近似した用途に使用できるようにした用具が提案され、実用化されている。
【０００３】
特許文献１には、この種の用具の一例として、防寒性を有する布材より長方形状に形成され、人の体全体を包容することのできる程度の大きさの布団、マットの部分と、該布団、マットの部分の短辺の間の中央部にその開口部を短辺の内側にしてポケット状に縫着されて、布団、マットの部分を収納部とほぼ同じ大きさに畳んで収納するクッション又は座布団のサイズを持った収納部と、前記布団、マットの部分の二つの長辺、及び一方の短辺に連続してコの字状に設けられたスライドファスナとを具備し、布団、座布団、マット若しくはクッションまたは寝袋等、主に敷物類、寝具類又はこれらに近似した用途に使用できるように構成した多用途クッションが提案されている。
【０００４】
また、特許文献２には、使用者の上半身等に着用するコート等の衣類であって、フード、手袋等を一体化した多目的衣類が提案されている。
【０００５】
しかし、特許文献１の多用途クッションの場合、主に敷物類、寝具類又はこれらに近似した用途等、比較的狭範囲の用途に限られるものであつた。
【０００６】
また、特許文献２の多目的衣類の場合、専ら衣類用途に限られるものである。
【先行技術文献】
【特許文献】
【０００７】
【特許文献１】特開２００４−３２１４１５号公報
【特許文献２】特表２００５−５１７８２８号公報
【考案の概要】
【考案が解決しようとする課題】
【０００８】
本考案が解決しようとする課題は、軽量、コンパクトで、機能性、ファッション性を備え、インドア、アウトドアを問わず、保温性、防寒性を有する衣類用途、寝具用途、敷物用途は勿論のこと、物品運搬用途等にも使用でき、極めて多岐にわたる用途に活用できるような斬新な多用途身体着用具セットが存在しない点である。
【課題を解決するための手段】
【０００９】
本考案に係る多用途身体着用具セットは、四角形状に形成した保温素材と四角形状に形成した補強シート素材とを重合し、周辺部を縫合して形成した四角形状の第一の外装片と、四角形状に形成した防水シート素材と四角形状に形成した補強シート素材とを重合し、周辺部を縫合して形成した四角形状の第二の外装片とを、前記保温素材、前記防水シート素材が外面となる配置で重合し、一方の辺、及びこの辺を挟む二つの辺の外縁部を連続縫製して、残る他方の辺側が開口した折り畳み展開可能な袋状形態の四角形シート状とするとともに、前記二つの辺における縫製した一方の辺側の隅部から、他方の辺まで一定の寸法を残す位置にわたって前記二つの辺を折り畳み状態で各々連結する線ファスナを取り付け、袋状形態とした前記第一の外装片、第二の外装片における一方の辺側の両隅部、及び前記各線ファスナの他方の辺側の終端位置の近傍位置に各々穴開き受具を配設した外装具と、ベルト材の両端に各々前記穴開き受具に掛け止める掛け止め具を取り付けた掛け止め具付きベルトと、四角形状に形成した保温素材と四角形状に形成した補強シート素材とを重合し、周辺部を縫合して折り畳み展開可能な四角形シート状に形成され、平行な両辺に両隅部を除いてこの両辺を連結解放する逆開線ファスナを取り付けるとともに、前記平行な両辺方向中央部に直交する辺方向に沿った中央部線ファスナを取り付けることにより構成した身体着用内装具と、を有することを最も主要な特徴とする。
【考案の効果】
【００１０】
請求項１記載の考案によれば、保温素材と、補強シート素材とを重合した第一の外装片と、防水シート素材と補強シート素材とを重合した第二の外装片とを、保温素材、防水シート素材が外面となる配置で重合し、袋状形態のシート状とするとともに、これを折り畳み状態で連結する線ファスナ、及び穴開き受具を配設した外装具と、ベルト材の両端に各々前記ハトメに掛け止める掛け止め具を取り付けた掛け止め具付きベルトと、起毛素材と補強シート素材とを重合し、周辺部を縫合して折り畳み展開可能なシート状に形成され、両辺に各々両隅部を除いてこの両辺を連結解放する逆開線ファスナを取り付けるとともに、辺方向中央部に直交方向に沿った中央部線ファスナを取り付けることにより構成した身体着用内装具と、を有する構成の基に、軽量、コンパクトで、機能性、ファッション性を備え、インドア、アウトドアを問わず、保温性、防寒性を有する衣類用途、寝具用途、敷物用途は勿論のこと、物品運搬用途等にも使用できる使用形態をとることができ、極めて多岐にわたる用途に有効活用できる多用途身体着用具セットを実現し、提供することができる。
【００１１】
請求項２記載の考案によれば、保温素材である起毛素材と、補強シート素材であるナイロンタフタ素材とを重合した第一の外装片と、防水シート素材と補強シート素材であるナイロンタフタ素材とを重合した第二の外装片とを、起毛素材、防水シート素材が外面となる配置で重合し、袋状形態のシート状とするとともに、これを折り畳み状態で連結する線ファスナ、及びハトメを配設した外装具と、ベルト材の両端に各々前記ハトメに掛け止める掛け止め具を取り付けた掛け止め具付きベルトと、長方形状に形成した起毛素材と長方形状に形成したナイロンタフタ素材とを重合し、周辺部を縫合して折り畳み展開可能な長方形シート状に形成され、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、を有する構成の基に、軽量、コンパクトで、機能性、ファッション性を備え、インドア、アウトドアを問わず、保温性、防寒性を有する衣類用途、寝具用途、敷物用途は勿論のこと、物品運搬用途等にも使用できる使用形態をとることができ、極めて多岐にわたる用途に有効活用できる多用途身体着用具セットを実現し、提供することができる。
【００１２】
請求項３記載の考案によれば、多用途身体着用具セットにおける外装具を展開状態とし、例えば前記防水シート素材の面を下面として、この外装具をシートとして機能させることができ、これにより、軽量、コンパクトで取り扱いが便利であるとともに例えばアウトドアでのピクニック、スポーツ試合観戦等における敷物用途として保温性、防寒性を発揮させることができる外装具を備えた多用途身体着用具セットを実現し、提供することができる。
【００１３】
請求項４記載の考案によれば、多用途身体着用具セットにおける外装具を、他方の短辺側に開口が形成され、かつ、他方の短辺側を折り畳み可能な蓋片部とした収納具として機能させることができ、軽量、コンパクトで取り扱いが便利であるとともに、各種小物物品類の収納用として極めて好適な外装具を備えた多用途身体着用具セットを実現し、提供することができる。
【００１４】
請求項５記載の考案によれば、多用途身体着用具セットにおける外装具を、使用者の足部を挿入して保温する足温手段として機能させることができ、軽量、コンパクトで取り扱いが便利であるとともに、オフィスや家庭等において寒冷期のフットウォーマー、高温期における冷房の冷え過ぎ防止のためのフットウォーマーとして保温性、防寒性を的確に発揮する外装具を備えた多用途身体着用具セットを実現し、提供することができる。
【００１５】
請求項６記載の考案によれば、多用途身体着用具セットにおける外装具を収納具形態とし、その内部に身体着用内装具を収納することによって、軽量、コンパクトで取り扱いが便利であるとともに、車の中や長距離電車、飛行機内等における簡易な枕又はクッションとして好適に使用でき、旅行等に携帯して便利な枕又はクッションとして機能する外装具、身体着用内装具を備えた多用途身体着用具セットを実現し、提供することができる。
【００１６】
請求項７記載の考案によれば、多用途身体着用具セットにおける収納具形態とした外装具に掛け止め具付きベルトを取り付けることによって使用者が肩に掛け、又は手に持って吊り下げ可能なバッグ形態として使用でき、軽量、コンパクトで取り扱いが便利であるとともに、機能性、ファッション性に優れたバッグとして機能する外装具及び掛け止め具付きベルトを備えた多用途身体着用具セットを実現し、提供することができる。
【００１７】
請求項８記載の考案によれば、多用途身体着用具セットにおける身体着用内装具の中央部を開口し使用者の頭部が突出する状態に被ることによって、軽量、コンパクトで取り扱いが便利であるとともに、冬季等の低温季において、インドア、アウトドアを問わず、特にアウトドアにおいて風や寒さを防ぐ防寒性に優れた衣類の一種として有効に利用することができ、ケープとして機能する身体着用内装具を備えた多用途身体着用具セットを実現し、提供することができる。
【００１８】
請求項９記載の考案によれば、多用途身体着用具セットにおける身体着用内装具全体を使用者の身体の肩部分や胸部、腰部に掛けることで、軽量、コンパクトで取り扱いが便利であるとともに、冬季等の低温季において、インドア、アウトドアを問わず、特にアウトドアにおいて風や寒さを防ぐ防寒性に優れたブランケットとして機能させることができ、ケープとして機能する身体着用内装具を備えた多用途身体着用具セットを実現し、提供することができる。
【００１９】
請求項１０記載の考案によれば、多用途身体着用具セットにおける身体着用内装具の中央部線ファスナを開いて中央部を開口し、使用者の身体の腰回りに穿くことで、この身体着用内装具をスカートとして機能させることができ、軽量、コンパクトで取り扱いが便利であるとともに、インドア、アウトドアを問わず、特にアウトドアにおいて風や寒さを防ぐ防寒性に優れた衣類の一種として有効に利用することができる身体着用内装具を備えた多用途身体着用具セットを実現し、提供することができる。
【００２０】
請求項１１記載の考案によれば、多用途身体着用具セットにおける身体着用内装具を、その内部に使用者の身体が挿入可能なシュラフとして機能させることができ、軽量、コンパクトで取り扱いが便利であるとともに、特にアウトドアでのキャンプ場等で簡易な寝具として有効に利用することができる身体着用内装具を備えた多用途身体着用具セットを実現し、提供することができる。
【００２１】
請求項１２記載の考案によれば、多用途身体着用具セットにおける身体着用内装具を簡易なジレ（ベスト）形態として機能させることができ、軽量、コンパクトで取り扱いが便利であるとともに、冬季等の低温季において、インドア、アウトドアを問わず、特にアウトドアにおいて風や寒さを防ぐ防寒性に優れた上述したケープや、ブランケットの場合と同様な衣類の一種として有効に利用することができる身体着用内装具を備えた多用途身体着用具セットを実現し、提供することができる。
【図面の簡単な説明】
【００２２】
【図１】図１は本考案の実施例に係る多用途身体着用具セットの全体構成を示す概略平面図である。
【図２】図２は本実施例に係る多用途身体着用具セットにおける外装具の概略拡大断面図である。
【図３】図３は本実施例に係る多用途身体着用具セットにおける外装具を表裏反転した状態を示す概略平面図である。
【図４】図４は本実施例に係る多用途身体着用具セットにおける身体着用内装具の概略拡大断面図である。
【図５】図５は本実施例に係る多用途身体着用具セットにおける身体着用内装具を表裏反転した状態を示す概略平面図である。
【図６】図６は本実施例に係る多用途身体着用具セットにおける外装具をシートとして使用する場合を示す平面図である。
【図７】図７は本実施例に係る多用途身体着用具セットにおける外装具を各種物品の収納具として使用する場合を示す概略斜視図である。
【図８】図８は本実施例に係る多用途身体着用具セットにおける外装具を足温手段（フットウォーマー）として使用する場合を示す概略斜視図である。
【図９】図９は本実施例に係る多用途身体着用具セットにおける外装具を枕又はクッションとして使用する場合を示す概略斜視図である。
【図１０】図１０は本実施例に係る多用途身体着用具セットにおける外装具をバッグとして使用する場合を示す概略斜視図である。
【図１１】図１１（ａ）は本実施例に係る多用途身体着用具セットにおける外装具をケープとして使用する場合の一例を示す概略斜視図である。図１１（ｂ）は外装具をケープとして使用する場合の他の使用形態例の使用手順を示す概略斜視図、図１１（ｃ）は図１１（ｂ）の使用手順をもってケープとして使用する場合の使用形態例を示す概略斜視図である。
【図１２】図１２（ａ）は本実施例に係る多用途身体着用具セットにおける外装具をブランケットとして使用する場合を示す概略斜視図である。図１２（ｂ）は外装具をブランケットとして使用する場合の他の使用形態例を示す概略斜視図である。
【図１３】図１３は本実施例に係る多用途身体着用具セットにおける外装具をスカートとして使用する場合を示す概略斜視図である。
【図１４】図１４（ａ）は本実施例に係る多用途身体着用具セットにおける外装具をシュラフとして使用する場合を示す概略斜視図である。図１４（ｂ）は外装具をシュラフとして使用する場合の他の使用形態例の使用手順を示す概略斜視図、図１４（ｃ）は図１４（ｂ）の使用手順をもってシュラフとして使用する場合の使用形態例を示す概略斜視図である。
【図１５】図１５は本実施例に係る多用途身体着用具セットにおける外装具をジレ（ベスト）として使用する場合を示す概略斜視図である。図１５（ｂ）は外装具をジレ（ベスト）として使用する場合の他の使用形態例の使用手順を示す概略斜視図、図１５（ｃ）は図１５（ｂ）の使用手順をもってジレ（ベスト）として使用する場合の使用形態例を示す概略斜視図である。
【考案を実施するための形態】
【００２３】
本考案は、軽量、コンパクトで、機能性、ファッション性を備え、インドア、アウトドアを問わず、保温性、防寒性を有する衣類用途、寝具用途、敷物用途は勿論のこと、物品運搬用途等にも使用でき、極めて多岐にわたる用途に活用できる多用途身体着用具セットを提供するというという目的を、長方形状に形成した起毛素材と長方形状に形成したナイロンタフタ素材とを重合し、周辺部を縫合して形成した長方形状の第一の外装片と、長方形状に形成した防水シート素材と長方形状に形成したナイロンタフタ素材とを重合し、周辺部を縫合して形成した長方形状の第二の外装片とを、前記起毛素材、防水シート素材が外面となる配置で重合し、一方の短辺、及び二つの長辺の外縁部を連続縫製して、他方の短辺が開口した折り畳み展開可能な袋状形態の長方形シート状とするとともに、二つの長辺における縫製した一方の短辺側の隅部から、他方の短辺まで一定の寸法を残す位置にわたって前記二つの長辺を折り畳み状態で各々連結する線ファスナを取り付け、袋状形態とした前記第一の外装片、第二の外装片における一方の短辺側の両隅部、及び前記各線ファスナの他方の短辺側の終端位置の近傍位置に各々ハトメを配設した外装具と、ベルト材の両端に各々前記ハトメに掛け止める掛け止め具を取り付けた掛け止め具付きベルトと、長方形状に形成した起毛素材と長方形状に形成したナイロンタフタ素材とを重合し、周辺部を縫合して折り畳み展開可能な長方形シート状に形成され、両長辺に各々両隅部を除いてこの両長辺を連結解放する逆開線ファスナを取り付けるとともに、長辺方向中央部に短辺方向に沿った中央部線ファスナを取り付けることにより構成した身体着用内装具と、を有する構成により実現した。
【実施例】
【００２４】
以下、図面を参照しながら本考案の実施例に係る多用途身体着用具セットについて詳細に説明する。
【００２５】
本実施例に係る多用途身体着用具セット１は、図１に示すように、展開状態で平面視長方形状を呈し袋状形態とした外装具１１と、例えば皮革材等からなる細長のベルト材３２の両端に各々公知の掛け止め具３３、３３を取り付けた掛け止め具付きベルト３１と、展開状態で平面視長方形状とした身体着用内装具４１と、からなる３点の要素から構成している。
【００２６】
前記外装具１１は、図１、図２に示すように、長方形状に形成した保温素材である起毛素材１２と長方形状に形成した補強シート素材であるナイロンタフタ素材１３ａとを重合し、周辺部を縫合して形成した長方形状の第一の外装片１４と、長方形状に形成した防水シート素材１５と長方形状に形成したナイロンタフタ素材１３ｂとを重合し、周辺部を縫合して形成した長方形状の第二の外装片１６とを、前記起毛素材１２、防水シート素材１５が外面となる配置で重合し、一方の短辺１７ａ、及び二つの長辺１８ａ、１８ｂの外縁部を連続縫製して、他方の短辺１７ｂが開口した折り畳み展開可能な袋状形態の長方形シート状としている。
前記外装具１１は、保温素材である起毛素材１２と補強シート素材であるナイロンタフタ素材１３ａとの重合により、その内部の空気層を外装具１１の装着時における体温により暖めることができるように構成されている。
なお、本考案においては、実施例中でいう保温素材である起毛素材、補強シート素材であるナイロンタフタ素材の他、これらの各素材に代替して、保温素材としてフリース素材、補強シート素材としてナイロンリップ素材等の各種素材を用いることができる。
【００２７】
そして、前記二つの長辺１８ａ、１８ｂにおける縫製した一方の短辺１７ａ側の隅部から、他方の短辺１７ｂまで一定の寸法を残す位置にわたって、前記二つの長辺１８ａ、１８ｂを折り畳み状態で各々連結する線ファスナ１９、１９を取り付け、また、袋状形態とした前記第一の外装片１４、第二の外装片１６における一方の短辺１７ａ側の両隅部、及び前記各線ファスナ１９、１９の他方の短辺１７ｂ側の終端位置の近傍位置に、各々穴開き受具であるハトメ２０を四角形配置に（すなわち合計４個）配設している。なお、図示例では、二つの長辺１８ａ、１８ｂを各々連結するために線ファスナ１９、１９を用いているが、本考案においては当該連結するための手段としては各種のファスナを用いることができる。
【００２８】
前記ナイロンタフタ素材１３ａ、１３ｂは、表面に微細な凹凸が形成されるように編成したナイロン織物素材であり、引き裂き強度に優れる。
【００２９】
なお、図３は前記外装具１１を表裏反転し前記起毛素材１２を上面とした状態を示すものである。
【００３０】
前記外装具１１の寸法構成例について言及すると、前記外装具１１の長辺１８ａ、１８ｂの寸法５５ｃｍ、短辺１７ａ、１７ｂの寸法３５ｃｍ、各ハトメ２０のうち、長辺方向における二つのハトメ２０の間隔４０ｃｍ、短辺方向の二つのハトメ２０の間隔３２ｃｍ等の例を挙げることができるが、これらの寸法に限定されるものではないことは言うまでもない。
また、前記起毛素材１２、ナイロンタフタ素材１３ａ、１３ｂ、防水シート素材１５の色も特に限定するものではなく、種々の色仕様とすることができる。
【００３１】
前記掛け止め具付きベルト３１は、ベルト材３２の両端に、各々公知の掛け止め具３３、３３を取り付けるとともに、ベルト材３２の全長を長短に調節可能に構成している。
【００３２】
前記身体着用内装具４１は、図１、図４に示すように、長方形状に形成した起毛素材４２と、長方形状に形成したナイロンタフタ素材４３とを重合し、周辺部を全体にわたって縫合して折り畳み展開可能な長方形シート状に形成している。
【００３３】
そして、前記身体着用内装具４１の両長辺４４ａ、４４ｂに各々両隅部を除いてこの両長辺４４ａ、４４ｂを連結解放する逆開線ファスナ４６を取り付けるとともに、長辺方向中央部に短辺４５ａ、４５ｂの方向に沿った中央部線ファスナ４８を取り付けている。なお、本考案においては、上記中央部線ファスナ４８の他、各種のファスナを用いることができる。
【００３４】
前記逆開線ファスナ４６は、一方の長辺４４ａにエレメント４６ａ、２個のスライダー４７を取り付け、他方の長辺４４ｂにエレメント４６ｂを取り付けて、両長辺４４ａ、４４ｂを連結、解放可能としている。なお、本考案においては、上記逆開線ファスナ４６の他、各種のファスナを用いることができる。
【００３５】
なお、図５は前記身体着用内装具４１を表裏反転し前記起毛素材４２を上面とした状態を示すものである。
【００３６】
前記身体着用内装具４１の寸法構成例について言及すると、長辺４４ａ、４４ｂの寸法１３５ｃｍ、短辺４５ａ、４５ｂの寸法１２５ｃｍ、逆開線ファスナ４６の寸法１００ｃｍ、中央部線ファスナ４８の寸法６５ｃｍ等の例を挙げることができる。
【００３７】
但し、前記逆開線ファスナ４６は、長辺４４ａ、４４ｂの短辺４５ａ側の隅から３０ｃｍ、短辺４５ｂ側の隅から５ｃｍを除いた範囲に取り付けている。
【００３８】
また、前記中央部線ファスナ４８は、長辺４４ａ、４４ｂから各々３０ｃｍの範囲を除いた範囲に短辺４５ａ、４５ｂの方向に沿う配置で取り付けている。
【００３９】
なお、上述した身体着用内装具４１の寸法構成例は、一例でありこれらの寸法に限定されるものではないことは言うまでもない。
また、本実施例に係る多用途身体着用具セット１において、図３、図５等に示すように前記起毛素材１２、４２が外面に表出する領域に多数の点々を付して示す。
【００４０】
次に、本実施例に係る多用途身体着用具セット１の種々の具体的使用態様について態様別に説明する。
【００４１】
（使用態様１）
図６は、本実施例に係る多用途身体着用具セット１における前記外装具１１を展開状態とし、例えば前記防水シート素材１５の面を下面として、この外装具１１をシートとして機能させる態様を示すものである。
【００４２】
このような使用態様１を有する前記外装具１１は、軽量、コンパクトで取り扱いが便利であるとともに例えばアウトドアでのピクニック、スポーツ試合観戦等における敷物用途として保温性、防寒性を発揮させることができる。
【００４３】
（使用態様２）
図７は、本実施例に係る多用途身体着用具セット１における前記外装具１１を、この外装具１１における二つの長辺１８ａ、１８ｂを、長辺方向に並ぶ二つのハトメ２０同士が各々重なり合うように折り込み、前記二つの長辺１８ａ、１８ｂに取り付けた線ファスナ１９、１９により折り込んだ二つの長辺１８ａ、１８ｂを各々閉塞することで、この外装具１１を、他方の短辺側１７ｂ側に開口が形成され、かつ、他方の短辺１７ｂ側を折り畳み可能な蓋片部とした収納具として機能させることができ、軽量、コンパクトで取り扱いが便利であるとともに、例えば携帯電話や化粧用具類、ハンカチ等の小物物品類の収納用として極めて好適である。
【００４４】
（使用態様３）
図８は、本実施例に係る多用途身体着用具セット１における外装具１１を足温手段（フットウォーマー）として機能させる態様を示すものである。
【００４５】
すなわち、前記外装具１１における二つの長辺１８ａ、１８ｂを、長辺方向に並ぶ二つのハトメ２０同士が各々重なり合うように折り込み、前記二つの長辺１８ａ、１８ｂに取り付けた線ファスナ１９、１９により折り込んだ二つの長辺１８ａ、１８ｂを閉塞することで、この外装具１１を、他方の短辺１７ｂ側に開口が形成され、かつ、他方の短辺１７ｂ側を折り畳み可能な蓋片部とした収納具形態とし、前記防水シート素材１５が外面に、前記起毛素材１２が内面になるようにして、この外装具１１を、前記開口内に使用者の足部５１を挿入して保温する足温手段として機能させるものである。
【００４６】
このような形態の外装具１１によれば、軽量、コンパクトで取り扱いが便利であるとともに、オフィスや家庭等において寒冷期のフットウォーマー、高温期における冷房の冷え過ぎ防止のためのフットウォーマーとして保温性、防寒性を的確に発揮させることができる。
【００４７】
（使用態様４）
図９は、本実施例に係る多用途身体着用具セット１における前記外装具１１を枕又はクッションとして機能させる形態を示すものである。
【００４８】
すなわち、前記外装具１１における二つの長辺１８ａ、１８ｂを、長辺方向に並ぶ二つのハトメ２０同士が各々重なり合うように折り込み、折り込んだ二つの長辺１８ａ、１８ｂを各々線ファスナ１９、１９により閉塞することで、この外装具１１を、他方の短辺１７ｂ側に開口が形成され、かつ、他方の短辺１７ｂ側を折り畳み可能な蓋片部とした収納具形態とし、その内部の前記身体着用内装具４１を折り畳んで内部に収納し蓋片部を閉じることによって、軽量、コンパクトで取り扱いが便利な枕又はクッションとして機能させるものである。
【００４９】
この場合、前記外装具１１における起毛素材１２、防水シート素材１５のいずれを外面に表出させるかは任意に選定できる。
【００５０】
このような形態の外装具１１によれば、軽量、コンパクトで取り扱いが便利であるとともに、車の中や長距離電車、飛行機内等における簡易な枕又はクッションとして好適に利用できる。
【００５１】
（使用態様５）
図１０は、本実施例に係る多用途身体着用具セット１における前記外装具１１を、肩掛け又は吊り下げ可能なバッグ形態として機能させる形態を示すものである。
【００５２】
すなわち、前記外装具１１における二つの長辺１８ａ、１８ｂを、長辺方向に並ぶ二つのハトメ２０同士が各々重なり合うように折り込み、折り込んだ二つの長辺１８ａ、１８ｂを各々線ファスナ１９、１９により閉塞するとともに、２箇所にわたって重なり合うハトメ２０の位置に前記掛け止め具付きベルト３１の両端の掛け止め具３３を掛け止める。
【００５３】
これにより、この外装具１１を、他方の短辺１７ｂ側に開口が形成され、かつ、他方の短辺１７ｂ側に折り畳み可能な蓋片部を備え、この蓋片部により開口の部分を閉塞して、図１０に示すように、使用者が掛け止め具付きベルト３１を肩に掛け、又は手に持って吊り下げ可能なバッグ形態とするものである。
【００５４】
この場合、前記外装具１１における起毛素材１２、防水シート素材１５のいずれを外面に表出させるかは任意に選定できる。
【００５５】
このような形態の外装具１１によれば、軽量、コンパクトで取り扱いが便利であるとともに、機能性、ファッション性に優れ、携帯電話や化粧用具類、ハンカチ等の小物物品類の運搬用として好適に利用できる。
【００５６】
（使用態様６）
図１１（ａ）は、本実施例に係る多用途身体着用具セット１における身体着用内装具４１をケープとして機能させる形態を示すものである。
【００５７】
すなわち、前記身体着用内装具４１を展開状態とし、前記起毛素材４２を内面とするとともに、前記中央部線ファスナ４８を適当長さ分開いて長辺方向中央部を開口し、使用者Ｍの頭部が突出する状態に被ることで、この身体着用内装具４１をケープとするものである。
【００５８】
この形態の身体着用内装具４１によれば、軽量、コンパクトで取り扱いが便利であるとともに、冬季等の低温季において、インドア、アウトドアを問わず、特にアウトドアにおいて風や寒さを防ぐ防寒性に優れた衣類の一種として有効に利用することができる。
図１１（ｂ）は身体着用内装具４１をケープとして使用する場合の他の使用形態例の使用手順を示す概略斜視図であり、図１１（ｃ）は図１１（ｂ）の使用手順をもって身体着用内装具４１をケープとして使用する場合の使用形態例を示す概略斜視図である。前記身体着用内装具４１をこのような形態のケープとして使用することもできる。
【００５９】
（使用態様７）
図１２（ａ）は、本実施例に係る多用途身体着用具セット１における身体着用内装具４１をブランケットとして機能させる形態を示すものである。
【００６０】
すなわち、前記身体着用内装具４１を展開状態とし、前記起毛素材４２を内面とするとともに、前記中央部線ファスナ４８を閉じて、この身体着用内装具４１全体を使用者Ｍの身体の肩部分や胸部、腰部に掛けることで、この身体着用内装具４１をブランケットとして機能させ、これにより、軽量、コンパクトで取り扱いが便利であるとともに、冬季等の低温季において、インドア、アウトドアを問わず、特にアウトドアにおいて風や寒さを防ぐ防寒性に優れた上述したケープの場合と同様な衣類の一種として有効に利用することができる。
図１２（ｂ）は身体着用内装具４１をブランケットとして使用する場合の他の使用形態例を示す概略斜視図である。前記身体着用内装具４１をこのような形態のブランケットとして使用することもできる。
【００６１】
（使用態様８）
図１３は、本実施例に係る多用途身体着用具セット１における身体着用内装具４１をスカートとして機能させる形態を示すものである。
【００６２】
すなわち、前記身体着用内装具４１を展開状態とし、前記起毛素材４２を内面とするとともに、前記中央部線ファスナ４８を開いて長辺方向中央部を開口し、使用者Ｍの身体の腰回りに穿くことで、この身体着用内装具４１をスカートとして機能させるものである。
【００６３】
この形態の身体着用内装具４１によれば、軽量、コンパクトで取り扱いが便利であるとともに、インドア、アウトドアを問わず、特にアウトドアにおいて風や寒さを防ぐ防寒性に優れた衣類の一種として有効に利用することができる。
【００６４】
（使用態様９）
図１４（ａ）は、本実施例に係る多用途身体着用具セット１における身体着用内装具４１をシュラフ（ハーフシュラフ）として機能させる形態を示すものである。
【００６５】
すなわち、前記身体着用内装具４１を、起毛素材４２を内面とするとともに、両長辺４４ａ、４４ｂが重なるように折り畳み、前記逆開線ファスナ４６により前記両長辺４４ａ、４４ｂを連結することで、この身体着用内装具４１をその内部に使用者の身体が挿入可能なシュラフとして機能させるものである。
【００６６】
この形態の身体着用内装具４１によれば、軽量、コンパクトで取り扱いが便利であるとともに、特にアウトドアでのキャンプ場等で簡易な寝具として有効に利用することができる。
図１４（ｂ）は身体着用内装具４１をシュラフとして使用する場合の他の使用形態例の使用手順を示す概略斜視図であり、図１４（ｃ）は図１４（ｂ）の使用手順をもってシュラフとして使用する場合の使用形態例を示す概略斜視図である。前記身体着用内装具４１をこのような形態のシュラフとして使用することもできる。
【００６７】
（使用態様１０）
図１５（ａ）は、本実施例に係る多用途身体着用具セット１における身体着用内装具４１をジレ（ベスト）として機能させる形態を示すものである。
【００６８】
すなわち、前記身体着用内装具４１の起毛素材４２を内面とするとともに、前記逆開線ファスナ４６により身体着用内装具４１の両長辺の一部を連結状態とし肩回りを折り返した状態で使用者Ｍが上半身の着ることで、この身体着用内装具４１を簡易なジレ（ベスト）形態として機能させるものである。
図１５（ｂ）は身体着用内装具４１をジレ（ベスト）として使用する場合の他の使用形態例の使用手順を示す概略斜視図であり、図１５（ｃ）は図１５（ｂ）の使用手順をもってジレ（ベスト）として使用する場合の使用形態例を示す概略斜視図である。まお、図１５（ｂ）中の左欄の図は、身体着用内装具４１をジレ（ベスト）として使用する場合の使用手順における使用者の正面から見た状態であり、図１５（ｂ）中の右欄の図は、身体着用内装具４１をジレ（ベスト）として使用する場合の使用手順における使用者の裏面から見た状態のものである。前記身体着用内装具４１をこのような形態のジレ（ベスト）として使用することもできる。
【００６９】
これにより、軽量、コンパクトで取り扱いが便利であるとともに、冬季等の低温季において、インドア、アウトドアを問わず、特にアウトドアにおいて風や寒さを防ぐ防寒性に優れた上述したケープや、ブランケットの場合と同様な衣類の一種として有効に利用することができる。
【産業上の利用可能性】
【００７０】
本考案に係る多用途身体着用具セットは、全体として軽量、コンパクトな構造で、機能性、ファッション性を備え、保温性を有する敷物用途や衣類用途、保温性を有する寝具用途、更には物品保管具、運搬具等、多岐にわたる使用状況に対応可能な多用途身体着用具セットとして広範に活用可能である。
【符号の説明】
【００７１】
１    多用途身体着用具セット
１１    外装具
１２    起毛素材
１３ａ  ナイロンタフタ素材
１３ｂ  ナイロンタフタ素材
１４    第１の外装片
１５    防水シート素材
１６    第２の外装片
１７ａ  短辺
１７ｂ  短辺
１８ａ  長辺
１８ｂ  長辺
１９    線ファスナ
２０    ハトメ
３１    掛け止め具付きベルト
３２    ベルト材
３３    掛け止め具
４１    身体着用内装具
４２    起毛素材
４３    ナイロンタフタ素材
４４ａ  長辺
４４ｂ  長辺
４５ａ  短辺
４５ｂ  短辺
４６    逆開線ファスナ
４６ａ  エレメント
４６ｂ  エレメント
４７    スライダー
４８    中央部線ファスナ
Ｍ    使用者
【図１】
0003181834.tif 000003
【図２】
0003181834.tif 000004
【図３】
0003181834.tif 000005
【図４】
0003181834.tif 000006
【図５】
0003181834.tif 000007
【図６】
0003181834.tif 000008
【図７】
0003181834.tif 000009
【図８】
0003181834.tif 000010
【図９】
0003181834.tif 000011
【図１０】
0003181834.tif 000012
【図１１】
0003181834.tif 000013
【図１２】
0003181834.tif 000014
【図１３】
0003181834.tif 000015
【図１４】
0003181834.tif 000016
【図１５】
0003181834.tif 000017